(57)【要約】【課題】和風便器のリム内周面に沿ってスムーズに移動させて和風便器切断作業を行うことができる陶器切削工具及び和風便器の切断工法を提供する。【解決手段】陶器切削工具１０は、モータを内蔵した回転駆動装置本体１１と、該本体１１の前端面から突出する回転軸１２と、該回転軸１２の先端に取り付けられた円盤状の回転刃１３と、回転軸１２の基端側の外周に取り付けられたベアリング１４と、回転駆動装置本体１１の前端面に取り付けられた透明板１５とからなる。透明板１５をリム３ｄに架け渡し、ベアリング１４をリム３ｄの内周面に押し当てたまま回転駆動装置本体１１をリム３ｄに沿って移動させ、和風便器３の上部を切断する。【選択図】図１
2007144784.tif 000002
【特許請求の範囲】
【請求項１】
回転駆動装置本体及び該回転駆動装置本体の前端側から突出した回転軸を有する回転駆動装置と、該回転軸に取り付けられた回転刃とを有する陶器切削工具において、
該回転刃と回転駆動装置本体との間の回転軸の外周に、該回転軸と同軸に且つ該回転軸に対し回動自在な、該回転刃よりも小径の環状体を設けたことを特徴とする陶器切削工具。
【請求項２】
請求項１において、前記環状体は、内周環、外周環及びこれらの間に介在された転動体よりなるベアリングの該外周環であり、該内周環に前記回転軸が差し込まれ、該内周環が該回転軸に固定されていることを特徴とする陶器切削工具。
【請求項３】
請求項１又は２において、前記回転駆動装置本体の前端側に、板面が前記回転軸と直交方向となっている透明板が取り付けられていることを特徴とする陶器切削工具。
【請求項４】
請求項１ないし３のいずれか１項の陶器切削工具を用いて和風便器の上縁を切断する工法であって、
該陶器切削工具の前記環状体を該和風便器のリムの内周面に当接させながら該陶器切削工具を移動させ、前記回転刃によって和風便器の上縁を切断することを特徴とする和風便器の切断工法。
【請求項５】
請求項４において、前記陶器切削工具は請求項３に記載の陶器切削工具であり、前記透明板を前記和風便器のリム上面に架け渡し、該リム上面に沿ってスライドさせて切断を行うことを特徴とする和風便器の切断工法。
【発明の詳細な説明】
【技術分野】
【０００１】
本発明は、陶器切削工具と、それを用いた和風便器の切断工法に関する。
【背景技術】
【０００２】
ビルや公団アパート等の和風トイレルームにあっては、コンクリート製床スラブに和風便器設置用の開口が設けられ、この開口に上方から嵌め込むようにして和風便器が設置されている。和風便器の排水口には、スラブ下を引き回された排便管が接続されている。
【０００３】
このような和風トイレルームを洋風便器が設置された洋風トイレルームに改修する場合、和風便器をすべてハツリ落し、排便管を立て直し、スラブ開口に補強筋を配筋してコンクリートで埋めて床を構築し、その後洋風便器を設置することが行われている。しかしながら、この工法では、階下へ和風便器の解体ガラが落下したり排便管の移動などのために階下からの工事も必要となり、工期が長くなり、コストも嵩むものとなっていた。
【０００４】
階上からだけの和洋改修が可能な工法として、特許第３１８３２９５号公報及び特開２００５−２５６４６７号公報には、トイレルームの床に設置された和風便器の上部を切断除去し、該和風便器内を自硬性充填物で埋め、その後、その上に洋風便器を設置する工法が記載されている。
【０００５】
特開２００３−８９１１１号公報には、既設の和風便器の上縁を所定深さにわたって切断する工具として、回転駆動装置の回転軸に回転刃を取り付けたものが記載されている。
【０００６】
この回転軸を和風便器のリム内周面に当てながら回転駆動装置をリムに沿って移動させ、リム下７０ｍｍのレベルで和風便器を切断する。
【特許文献１】特許第３１８３２９５号公報
【特許文献２】特開２００５−２５６４６７号公報
【特許文献３】特開２００３−８９１１１号
【発明の開示】
【発明が解決しようとする課題】
【０００７】
上記特開２００３−８９１１１号では、回転軸がリム内周面に直に当るため、回転駆動装置をリム内周面に沿ってスムーズに移動させにくい。
【０００８】
また、上記特開２００３−８９１１１号では、回転駆動装置本体を一定レベルに維持するために、和風便器を跨ぐようにフレームを設けているが、設備が大掛りとなる。
【０００９】
本発明は、和風便器のリム内周面に沿ってスムーズに移動させて和風便器切断作業を行うことができる陶器切削工具及び和風便器の切断工法を提供することを目的とする。
【課題を解決するための手段】
【００１０】
請求項１の陶器切削工具は、回転駆動装置本体及び該回転駆動装置本体の前端側から突出した回転軸を有する回転駆動装置と、該回転軸に取り付けられた回転刃とを有する陶器切削工具において、該回転刃と回転駆動装置本体との間の回転軸の外周に、該回転軸と同軸に且つ該回転軸に対し回動自在な、該回転刃よりも小径の環状体を設けたことを特徴とするものである。
【００１１】
請求項２の陶器切削工具は、請求項１において、前記環状体は、内周環、外周環及びこれらの間に介在された転動体よりなるベアリングの該外周環であり、該内周環に前記回転軸が差し込まれ、該内周環が該回転軸に固定されていることを特徴とするものである。
【００１２】
請求項３の陶器切削工具は、請求項１又は２において、前記回転駆動装置本体の前端側に、板面が前記回転軸と直交方向となっている透明板が取り付けられていることを特徴とするものである。
【００１３】
請求項４の和風便器の切断工法は、請求項１ないし３のいずれか１項の陶器切削工具を用いて和風便器の上縁を切断する工法であって、該陶器切削工具の前記環状体を該和風便器のリムの内周面に当接させながら該陶器切削工具を移動させ、前記回転刃によって和風便器の上縁を切断することを特徴とするものである。
【００１４】
請求項５の和風便器の切断工法は、請求項４において、前記陶器切削工具は請求項３に記載の陶器切削工具であり、前記透明板を前記和風便器のリム上面に架け渡し、該リム上面に沿ってスライドさせて切断を行うことを特徴とするものである。
【発明の効果】
【００１５】
本発明の陶器切削工具及びそれを用いた和風便器の切断工法にあっては、陶器切削工具の回転軸に設けられた回転自在な環状体をリム内周面に当てて移動させ、リム上部を切断する。この環状体が回転軸に対し回転自在となっているため、回転する回転軸がリム内周面に直当りせず、回転駆動装置をスムーズに移動させることができる。
【００１６】
この環状体をベアリングの外周環にて構成した場合には、回転駆動装置を極めてスムーズに移動させることができる。
【００１７】
回転駆動装置本体の前端側に透明板を設けておいた場合には、この透明板をリム上面に当て、透明板をリム上面に沿ってスライドさせながら切断作業を行う。これにより、正確にリム下の同一深さレベルを切断することができる。なお、透明板を透してリム付近の様子を目視確認しながら作業を進めることができる。
【発明を実施するための最良の形態】
【００１８】
以下、図面を参照して実施の形態について説明する。第１図及び第２図は実施の形態に係る陶器切削工具及び和風便器の切断工法を示す側面図と斜視図、第３図はトイレルームの床構成図、第４図は和風便器の上部を切断した後のトイレルーム床面の断面図である。
【００１９】
第３図に示すように、トイレルームの床スラブ１に和風便器設置用開口２が設けられ、この開口２に上方から嵌め込まれるようにして陶器製の和風便器３が設置されている。この実施の形態では、該床スラブ１はコンクリート製の床スラブ本体１ａと、該床スラブ本体１ａの上面に形成されたモルタル等よりなる表層（仕上げ層）１ｂとからなる。この床スラブ１の下側空間に排便管４が配設され、該開口２内においてこの排便管４と和風便器３の排水口３ａとが接続されている。３ｂは排水トラップ、３ｃは上方突出部（金隠し部）を示す。
【００２０】
第１，２図の通り、この和風便器を切断するための陶器切削工具１０は、モータを内蔵した回転駆動装置本体１１と、該本体１１の前端面から突出する回転軸１２と、該回転軸１２の先端に取り付けられた円盤状の回転刃１３と、回転軸１２の基端側の外周に取り付けられたベアリング１４と、回転駆動装置本体１１の前端面に取り付けられた透明板１５とからなる。この透明板１５は、和風便器２の横幅よりも大きいものであり、アクリル等の透明プラスチック板よりなる。この透明板１５は、その板面が回転軸１２と直交方向となっている。
【００２１】
ベアリング１４は、内周環、外周環及び該内周環と外周環との間に介在されたボールよりなるボールベアリングが好適であるが、ボールの代りにローラを配置したローラベアリングなどであってもよい。
【００２２】
このベアリング１４の内周環に回転軸１２が差し込まれ、内周環が該回転軸に固定される。外周環は回転軸１２に対し回転自在となっている。
【００２３】
このように構成された陶器切削工具１０を用いて和風便器３の上部の切断を行うには、まず、和風便器３の上方突出部３ｃをリム３ｄの上面と面一となるようにダイヤモンドカッター等により切断除去しておく。次いで、透明板１５を和風便器３のリム３ｄの上面に架け渡す。そして、回転駆動装置本体１１のモータを駆動し、回転刃１３を和風便器３に食い込ませる。このとき、深く回転刃を食い込ませてもリムの内周面にベアリングがあたり、陶器切削工具の回転軸が直にあたらず、スムーズに安全に作業ができる。さらに、ベアリング、回転刃の大きさを変えることで、適切な切断深さを調節しておくことができる。すなわち、ベアリングがリムの内周面にあたるまで回転刃を食い込ませ、５０ｍｍ〜６０ｍｍ和風便器リム部分を切断することができる。ベアリング１４をリム３ｄの内周面に押し当てたまま回転駆動装置本体１１をリム３ｄに沿って移動させ、和風便器３の上部を切断する。これにより、第４図に示す通り、和風便器３の上部が床から一定深さに沿って切断除去される。
【００２４】
この実施の形態では、ベアリング１４をリム３ｄの内周面に当てるため、回転駆動装置１０をスムーズに移動させることができる。また、透明板１５を設けているので、和風便器３を正確に一定深さのレベルで切断することができる。また、透明板１５を透して透明板１５の下側の作業状況を見ることができる。また、粉塵の飛散を防止できると共に、安全に作業できる。
【００２５】
この透明板１５は、回転駆動装置本体１１に取り付けられているだけであり、構造が簡易である。
【００２６】
本発明では、透明板の下面に既設床の仕上げ層にあたるようにコロを設け、容易に陶器切削工具を水平移動できるようにしてもよい。
【図面の簡単な説明】
【００２７】
【図１】実施の形態に係る陶器切削工具の側面図である。
【図２】実施の形態に係る陶器切削工具の斜視図である。
【図３】トイレルーム床面の構成図である。
【図４】和風便器上部の切断後の床断面図である。
【符号の説明】
【００２８】
１０  陶器切削工具
１１  回転駆動装置本体
１２  回転軸
１３  回転刃
１４  ベアリング
１５  透明板
【図１】
2007144784.tif 000003
【図２】
2007144784.tif 000004
【図３】
2007144784.tif 000005
【図４】
2007144784.tif 000006